(57)【要約】【課題】開封時にミシン目で切断しやすい往復封筒を提供する。【解決手段】封筒本体２が、縦長の矩形状を成し、上縁に沿って開口部２ａを有している。フラップ３が、封筒本体２の開口部２ａに沿って、封筒本体２に連続して設けられている。フラップ３は、返信用部分３ａと往信用部分３ｂとから成っている。フラップ３は、返信用部分３ａの縁部に１対の凹部３ｃを有している。返信用部分３ａは、フラップ３の封筒本体２の側に設けられ、所定の幅を有して封筒本体２の開口部２ａに連続している。往信用部分３ｂは、封筒本体２との間に返信用部分３ａを挟むよう、フラップ３の先端側に設けられている。往信用部分３ｂは、所定の幅を有し、返信用部分３ａに開口部２ａ側の反対側で連続している。往信用部分３ｂは、返信用部分３ａと切断用のミシン目３ｄで区切られている。各凹部３ｃは、鋭角状でミシン目３ｄのそれぞれ両端の位置を谷部としている。【選択図】図１
2008302970.tif 000002
【特許請求の範囲】
【請求項１】
封筒本体と前記封筒本体に連続して設けられたフラップとを有する往復封筒であって、
前記フラップは返信用部分と往信用部分とから成り、前記返信用部分は前記封筒本体の開口部に連続し、前記往信用部分は前記返信用部分に開口部側の反対側で連続し前記返信用部分と切断用のミシン目で区切られており、前記返信用部分および前記往信用部分の一方または両方の縁部に前記ミシン目の一端または両端の位置を谷部とする凹部を有することを、
特徴とする往復封筒。
【発明の詳細な説明】
【技術分野】
【０００１】
本発明は、往復封筒に関する。
【背景技術】
【０００２】
従来の往復封筒として、フラップを封筒本体に連続する返信用部分と先端側の往信用部分とに２分するよう、フラップの長手方向に沿ってミシン目を設けたものがある（例えば、特許文献１参照）。この往復封筒は、フラップの往信用部分で封をして発送し、受け取った人がミシン目でフラップを切断して開封することにより、返信時に返信用部分で封をすることができ、返信用の封筒としても使用することができる。
【０００３】
【特許文献１】実用新案登録第３１２５７１８号公報
【発明の開示】
【発明が解決しようとする課題】
【０００４】
特許文献１記載の往復封筒は、１枚の封筒を往復で使用できるため、資源の節約に資することができるが、ミシン目でフラップを切断して開封するとき、フラップが往信用部分で封筒本体に貼り付いているため、ミシン目で切断しにくいことがあるという課題があった。
【０００５】
本発明は、このような課題に着目してなされたもので、開封時にミシン目で切断しやすい往復封筒を提供することを目的としている。
【課題を解決するための手段】
【０００６】
上記目的を達成するために、本発明に係る往復封筒は、封筒本体と前記封筒本体に連続して設けられたフラップとを有する往復封筒であって、前記フラップは返信用部分と往信用部分とから成り、前記返信用部分は前記封筒本体の開口部に連続し、前記往信用部分は前記返信用部分に開口部側の反対側で連続し前記返信用部分と切断用のミシン目で区切られており、前記返信用部分および前記往信用部分の一方または両方の縁部に前記ミシン目の一端または両端の位置を谷部とする凹部を有することを、特徴とする。
【０００７】
本発明に係る往復封筒は、以下のようにして使用される。まず、往信時に、フラップの往信用部分で封をして発送する。受け取った人は、往信用部分と返信用部分との間のミシン目で、フラップを切断して開封する。このとき、凹部の谷部になるミシン目の一端から開封し始めることにより、ミシン目を切断しやすくなっている。開封後は、返信時にフラップの返信用部分で封をすることができるため、返信用の封筒として使用することができる。
【０００８】
本発明に係る往復封筒で、凹部は往信用部分の側に形成されていても、返信用部分の側に形成されていても、その両方であってもよい。凹部は、ミシン目の両端に設けられていることが好ましい。フラップは、平面形状が台形や三角形などに限らず、いかなる形状であってもよい。往信用部分および返信用部分は、それぞれ往信時および返信時に封をできる形状を成していれば、ミシン目によりいかなる形状に分けられていてもよい。ミシン目は、１本に限らず、往信用部分と返信用部分との間に複数本設けられていてもよい。この場合、往信および返信に限らず、それ以上の回数、封筒を使用することができる。また、複数本を密に平行に設けることにより、より切断しやすくすることができる。ミシン目が複数本の場合、各ミシン目ごとに凹部が設けられていることが好ましい。
【発明の効果】
【０００９】
本発明によれば、開封時にミシン目で切断しやすい往復封筒を提供することができる。
【発明を実施するための最良の形態】
【００１０】
以下、図面に基づき、本発明の実施の形態について説明する。
図１は、本発明の実施の形態の往復封筒を示している。
図１に示すように、往復封筒１は、封筒本体２とフラップ３とを有している。
【００１１】
封筒本体２は、縦長の矩形状を成し、上縁に沿って開口部２ａを有している。封筒本体２は、表面２ｂに郵便番号、宛名、切手貼付位置が印刷されたラベル１１が貼り付けられている。
【００１２】
フラップ３は、ほぼ台形を成し、封筒本体２の開口部２ａに沿って、封筒本体２の表面２ｂに連続して設けられている。フラップ３は、返信用部分３ａと往信用部分３ｂとから成っている。フラップ３は、返信用部分３ａの縁部に１対の凹部３ｃを有している。返信用部分３ａは、フラップ３の封筒本体２の側に設けられている。返信用部分３ａは、細長く所定の幅を有し、封筒本体２の開口部２ａに連続している。返信用部分３ａには、裏面に封をするための両面テープ１２が貼り付けられている。往信用部分３ｂは、封筒本体２との間に返信用部分３ａを挟むよう、フラップ３の先端側に設けられている。往信用部分３ｂは、細長く所定の幅を有し、返信用部分３ａに開口部２ａ側の反対側で連続している。往信用部分３ｂは、返信用部分３ａと切断用のミシン目３ｄで区切られている。ミシン目３ｄは、直線状に形成されている。往信用部分３ｂには、裏面２ｃに封をするための両面テープ１３が貼り付けられている。各凹部３ｃは、鋭角状で、ミシン目３ｄのそれぞれ両端の位置を谷部としている。
【００１３】
次に、作用について説明する。
往復封筒１は、以下のようにして使用される。図１（ｃ）に示すように、まず、往信時に、フラップ３を封筒本体２の裏面２ｃの側に折り曲げて、両面テープ１３を使用して往信用部分３ｂで封をして発送する。受け取った人は、往信用部分３ｂと返信用部分３ａとの間のミシン目３ｄで、フラップ３を切断して開封する。このとき、１対の凹部３ｃがミシン目３ｄの両端に設けられているため、いずれかの凹部３ｃの谷部になるミシン目３ｄの一端から開封し始めることにより、ミシン目３ｄを切断しやすくなっている。凹部３ｃにより、ミシン目３ｄの両端で返信用部分３ａより往信用部分３ｂの方が外側に突出して、返信用部分３ａと往信用部分３ｂとの間に段差ができるため、ミシン目３ｄで開封するとき、往信用部分３ｂが封筒本体２に貼り付けられていても、返信用部分３ａと封筒本体２との間に指などを入れやすく、ミシン目３ｄを切断しやすい。
【００１４】
開封後は、返信時に、フラップ３を封筒本体２の裏面２ｃの側に折り曲げて、両面テープ１２を使用して返信用部分３ａで封をすることができるため、返信用の封筒としても使用することができる。このように、往復封筒１は、１枚の封筒を往復で使用できるため、資源の節約を図ることができる。往復封筒１は、凹部３ｃによりミシン目３ｄを切断しやすくなっているため、切断位置がミシン目３ｄからずれてフラップ３が欠けたり封筒本体２を破ったりするのを防ぐことができ、再利用しやすい。
【図面の簡単な説明】
【００１５】
【図１】本発明の実施の形態の往復封筒を示す（ａ）正面図、（ｂ）背面図、（ｃ）封をした使用状態をしめす背面図である。
【符号の説明】
【００１６】
１    往復封筒
２    封筒本体
２ａ  開口部
３    フラップ
３ａ  返信用部分
３ｂ  往信用部分
３ｃ  凹部
３ｄ  ミシン目
１１  ラベル
１２，１３  両面テープ
【図１】
2008302970.tif 000003